(57)【特許請求の範囲】
【請求項１】
詰替え流出口を覆って詰替え容器に取り付けて用いられる詰替え容器用栓体であって、
薄肉線によって区画された開口予定部を備える天板部と、該天板部から下方に延設して設けられて前記詰替え流出口の周縁部分との装着密着面を形成する環状スカート壁部と、前記被詰替え容器への押し込みによって、前記薄肉線を破断させて前記開口予定部を開口させる開口てこ部とを含んで構成されており、
該開口てこ部は、前記環状スカート壁部又は前記環状スカート壁部の近傍部分の天板部に破断可能に接続されると共に、支点として機能する回転中心部と、該回転中心部よりも外側の、前記被詰替え容器の口首部の先端との当接領域に配置される、力点として機能する押込み押圧部と、前記回転中心部よりも内側に配置される、前記開口予定部と接続して作用点として機能する開封起点部とからなる詰替え容器用栓体。
【請求項２】
前記天板部から上方に突出して、前記詰替え流出口を被詰替え容器の口首部に案内するガイドリブが設けられている請求項１に記載の詰替え容器用栓体。
【請求項３】
合成樹脂製の１パーツ部品として形成される請求項１又は２に記載の詰替え容器用栓体。
【請求項４】
前記開封起点部の先端は前記薄肉線と接続している請求項１〜３のいずれか１項に記載の詰替え容器用栓体。
【請求項５】
前記天板部から上方に突出して、前記被詰替え容器の口首部の内側に挿入可能な挿入リブが、前記開口予定部の外側に設けられている請求項１〜４のいずれか１項に記載の詰替え容器用栓体。
【発明の詳細な説明】
【技術分野】
【０００１】
本発明は、詰替え容器用栓体に関し、特に、詰替え流出口を覆って詰替え容器に取り付けて用いられる詰替え容器用栓体に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、パウチ等による詰替え容器が多く用いられている。詰替え容器は、収納した内容物を、注出スパウト等による注出部を備える被詰替え容器に詰め替えたり補充したりすることで、高価な被詰替え容器をその都度廃棄することなく、長期間使用できるようにする。
【０００３】
一方、パウチ等による詰替え容器は、柔軟性や可撓性に富んだ軟包材によって形成されており、詰め替え作業の際に容器が変形し易く、きわめて不安定な状態となり易い。また、詰替え容器による内容物の詰め替え作業は、例えば、ａ）ノズル部の先端を切断する、ｂ）傾けて注ぐ、ｃ）傾けた状態を保持する、ｄ）絞る、ｅ）こぼれないように注意しつつ廃棄する、といった作業ステップによって行われるが、これらの作業ステップによる内容物の詰め替え作業は、多くの手間を要することになると共に、作業中に内容物をこぼし易い。
【０００４】
このようなことから、軟包材によって形成された容器の詰替え流出口を被詰替え容器の口首部に確実に連結して、詰め替え易さを向上させた詰替え容器が提案されている（例えば、特許文献１参照）。特許文献１の詰替え容器では、詰替え流出口に、内周面に雌ねじが形成された筒部を有するスパウトが取り付けられており、被詰替え容器の口首部の外周面に形成された雄ねじに、筒部の雌ねじを螺合して、被詰替え容器の口首部に詰替え容器の詰替え流出口を連結するようになっている。
【先行技術文献】
【特許文献】
【０００５】
【特許文献１】特開２００６−８９１３３号公報
【発明の概要】
【発明が解決しようとする課題】
【０００６】
しかしながら、特許文献１の詰替え容器では、スパウトの筒部の先端開口を覆うキャップやシール部を取り外したり、筒部を被詰替え容器の口首部に螺合する操作を必要とし、作業性に劣ることから、例えばワンアクションで詰替え流出口を被詰替え容器の口首部に簡易に且つ確実に連通できるようにし、且つ安定した状態で内容物の詰め替え作業を行えるようにする、新たな技術の開発が望まれている。
【０００７】
本発明は、詰替え容器に取り付けて用いられ、簡易な操作によって詰替え容器の詰替え流出口を被詰替え容器の口首部に連通させることができると共に、安定した状態で内容物を被詰替え容器に詰め替えさせることのできる詰替え容器用栓体を提供することを目的とする。
【課題を解決するための手段】
【０００８】
本発明は、詰替え流出口を覆って詰替え容器に取り付けて用いられる詰替え容器用栓体であって、薄肉線によって区画された開口予定部を備える天板部と、該天板部から下方に延設して設けられて前記詰替え流出口の周縁部分との装着密着面を形成する環状スカート壁部と、前記被詰替え容器への押し込みによって、前記薄肉線を破断させて前記開口予定部を開口させる開口てこ部とを含んで構成されており、該開口てこ部は、前記環状スカート壁部又は前記環状スカート壁部の近傍部分の天板部に破断可能に接続されると共に、支点として機能する回転中心部と、該回転中心部よりも外側の、前記被詰替え容器の口首部の先端との当接領域に配置される、力点として機能する押込み押圧部と、前記回転中心部よりも内側に配置される、前記開口予定部と接続して作用点として機能する開封起点部とからなる詰替え容器用栓体を提供することにより、上記目的を達成したものである。
【発明の効果】
【０００９】
本発明の詰替え容器用栓体によれば、簡易な操作によって詰替え容器の詰替え流出口を被詰替え容器の口首部に連通させることができると共に、安定した状態で内容物を被詰替え容器に詰め替えさせることができる。
【図面の簡単な説明】
【００１０】
【図１】本発明の好ましい一実施形態に係る詰替え容器用栓体を取り付けた詰替え容器によって、被詰替え容器に内容物を詰め替える状況を説明する略示斜視図である。
【図２】本発明の好ましい一実施形態に係る詰替え容器用栓体の斜視図である。
【図３】本発明の好ましい一実施形態に係る詰替え容器用栓体の構成を説明する、（ａ）は斜視図、（ｂ）は（ａ）のＡ−Ａに沿った断面図である。
【図４】本発明の好ましい他の一実施形態に係る詰替え容器用栓体の構成を説明する、（ａ）は斜視図、（ｂ）は（ａ）のＢ−Ｂに沿った断面図である。
【発明を実施するための形態】
【００１１】
本発明の好ましい一実施形態に係る詰替え容器用栓体１０は、図１に示すように、詰替え容器１１として例えば薄肉のボトル形状の容器の口首部１２に、これの先端の詰替え流出口（図示せず）を覆って取り付けられる。ここで、詰替え容器１１は、柔軟性や可撓性に富んだ軟包材によって形成されており、自立載置部となる底部１３と、内容物を注出させる口首部１２と、底部１３と口首部１２との間の胴部１４とを含んで構成される。また、詰替え容器１１は、好ましくは口首部１２を下方に配置した倒立状態で、内部に収容した内容物である内容液を、胴部１４自体を収縮変形させながら注出させることが可能な可撓性を備えている。また詰替え容器１１は、先端に詰替え流出口を備える口首部１２を、栓体１０を介して被詰替え容器１５の口首部１６に係合させて、例えば手を離した場合でも、安定した状態で内容物を詰め替えることができるようになっている。
【００１２】
本実施形態の詰替え容器用栓体１０は、詰替え流出口を封止した状態で詰替え容器１１の口首部１２に一体として固定されており、詰め替え作業の際に、詰替え容器１１の口首部１２と共に被詰替え容器１５の口首部１６に押し込むことで、ワンアクションで詰替え流出口を被詰替え容器１５の口首部１６に連通させる機能を備える。また、詰替え容器１１の口首部１２を被詰替え容器１５の口首部１６に安定した状態で係合させて、詰替え流出口から被詰替え容器１５に、内容液を外部に漏れ出させることなくスムーズに流入させる機能を備える。
【００１３】
そして、本実施形態の詰替え容器用栓体１０は、口首部１２の先端の詰替え流出口を覆って詰替え容器１１に取り付けて用いられる栓部材であって、図２及び図３（ａ），（ｂ）に示すように、薄肉線１７ａ，１７ｂ，１７ｃによって区画された開口予定部１８を備える天板部１９と、天板部１９から下方に延設して設けられて、口首部１２の先端の詰替え流出口の周縁部分との装着密着面２０（図３（ｂ）参照）を形成する環状スカート壁部２１と、被詰替え容器１５の口首部１６への押し込みによって、薄肉線１７ａ，１７ｂ，１７ｃを破断させて開口予定部１８を開口させる開口てこ部２３とを含んで構成されている。
【００１４】
また、本実施形態では、天板部１９から上方に突出して、口首部１２の先端の詰替え流出口を被詰替え容器１５の口首部１６（図１参照）に案内するガイドリブ２２が設けられている。
【００１５】
開口てこ部２３は、環状スカート壁部２１又は環状スカート壁部２１の近傍部分の天板部１９に破断可能に接続されると共に、支点として機能する回転中心部２４と、この回転中心部２４よりも径方向外側の、好ましくはガイドリブ２２の内周面に沿った被詰替え容器１５の口首部１６の先端との当接領域２５（図３（ａ）参照）に配置される、力点として機能する押込み押圧部２６と、回転中心部２４よりも径方向内側に配置される、開口予定部１８と接続して作用点として機能する開封起点部２７とからなる。
【００１６】
詰替え容器１１に取り付けられた栓体１０を被詰替え容器１５の口首部１６に向けて押し込むことで（図１参照）、被詰替え容器１５の口首部１６の先端によって押込み押圧部２６を押圧させて、回転中心部２４の回りで開口てこ部２３を回動させ（図３（ｂ）参照）、開封起点部２７を介して薄肉線１７ａ，１７ｂ，１７ｃを破断させて開口予定部１８を開口させることにより、詰替え容器１１の口首部１６の先端の詰替え流出口を、被詰替え容器１５の口首部１６と連通させるようになっている。
【００１７】
開口予定部１８は、開口後は、内容液を詰替え容器１１から被詰替え容器１５に流入させるためのガイドとなり、スムーズな詰め替えを可能とする。
【００１８】
本実施形態では、詰替え容器用栓体１０は、例えばポリプロピレン、ポリエチレン、ポリエチレンテレフタレート等の合成樹脂や、ポリ乳酸等のバイオプラスチックを用いた金型成形品であって、好ましくは射出成形方法によって、１パーツ部品として形成される。詰替え容器用栓体１０は、円盤形状の天板部１９と、天板部１９の周縁部分から一体として下方に延設する、扁平な円筒形状の環状スカート壁部２１とからなる。環状スカート壁部２１の内周面の下端部分は、装着密着面２０を形成している。この装着密着面２０には、詰替え流出口の周縁部分である、詰替え容器１１の口首部１２の詰替え流出口と近接する上端部分の外周面が密着固定される。これによって、詰替え容器用栓体１０は、詰替え流出口を強固に封止した状態で、当該詰替え流出口を覆って詰替え容器１１に一体として取り付けられる（図１参照）。
【００１９】
また、環状スカート壁部２１は、扁平な円筒形状に形成されていることで、上方からの荷重をその保形剛性によって強固に支持することが可能な支持壁として機能する。これによって、容器用栓体１０を被詰替え容器１５の口首部１６に押し込んで開口てこ部２３を回動させる際に、支点として機能する回転中心部２４に負荷される荷重を、安定した状態で支持することができる。
【００２０】
本実施形態では、詰替え容器用栓体１０の天板部１９には、これの中央部分を挟んだ両側に、間隔をおいて、辺の端がボトル内周に片側３点が沿うような扁平横長のＴ字断面形状または２点が内周に沿うＶ字形状を有する一対の対向壁２８が、平坦な対向面を平行に延設させた状態で上方に突出して設けられている。これらの一対の対向壁２８によって挟まれる間隔部分の天板部１９が、開口予定部１８となっている。すなわち、一対の対向壁２８の対向面側の基端部分に沿って、第１薄肉線１７ａが各々形成されており、両側の第１薄肉線１７ａによって区画された天板部１９の中央部分が、第１薄肉線１７ａの破断によって開口する開口予定部１８となっている。
【００２１】
また、本実施形態では、開口予定部１８を２分割するようにこれの中央部を横断して、第２薄肉線１７ｂが、両端を第１薄肉線１７ａに接続させてこれらと垂直に延設して設けられている。本実施形態では、後述するように、開口てこ部２３は、天板部１９の径方向に対向して一対設けられており、第２薄肉線１７ｂを挟んで２分割された開口予定部１８は、一対の開口てこ部２３の開封起点部２７と各々接続していて、各開封起点部２７と一体として挙動できるようになっている。さらに、本実施形態では、２分割された開口予定部１８の一方には、先端を第２薄肉線１７ｂに接続させると共に、両端を両側の第１薄肉線１７ａに接続させて、Ｖ字形状の第３薄肉線１７ｃが設けられている。また、対向壁断面形状がＶ字の場合には、その形状に沿った第一薄肉線で構成しても良い。
【００２２】
さらにまた、本実施形態では、対向面を対向させて間隔をおいて設けられたＴ字断面形状を有する一対の対向壁２８は、Ｔ字断面形状の各３箇所の先端が、被詰替え容器１５の口首部１６の内周形状と略合致する円周上に配置されている。これによって、一対の対向壁２８は、天板部１９から上方に突出して開口予定部１８の外側に設けられた、被詰替え容器１５の口首部１６の内側に挿入可能な挿入リブとしても機能する。また、対向壁２８は、内容液を詰替え容器１１から被詰替え容器１５に流入させる際のガイドとしても機能し、内容液の流路を規制することでスムーズな詰め替えを可能とする。
【００２３】
そして、本実施形態では、開口てこ部２３が、一対の対向壁２８の間隔幅の延長領域において、天板部１９の径方向に対向して一対設けられている。開口てこ部２３は、各々、取手が付いたヘラ状の断面形状を備えており、該取手が付いたヘラ状の断面形状の取手部分が押込み押圧部２６となり、ヘラ部分が開封起点部２７となり、取手部分とヘラ部分との接合角部分が回転中心部２４となっている。
【００２４】
回転中心部２４は、その平坦な底面を、環状スカート壁部２１の近傍部分における天板部１９の平坦な上面に当接させると共に、当該平坦な底面における天板部１９の中心側の縁部を、薄肉接合部２４ａとして天板部１９に接合させて、押込み押圧部２６を外側に張り出させると共に、開封起点部２７を内側に張り出させた状態で、天板部１９に位置決めされる。回転中心部２４は、栓体１０を被詰替え容器１５の口首部１６に向けて押し込んだ際に、押込み押圧部２６を口首部１６の先端による力点として、薄肉接合部２４ａを破断させつつ、薄肉接合部２４ａとは反対側の底面の縁部の回りに開口てこ部２３を回動させ、開封起点部２７を作用点として、２分割された開口予定部１８を外開きさせるような荷重を開口予定部１８に負荷させる（図３（ａ）参照）。
【００２５】
押込み押圧部２６は、回転中心部２４から天板部１９の外側に向けて、斜め上方に折れ曲がりながら張り出して設けられた部分である。押込み押圧部２６は、一対の対向壁２８の間隔幅と略同様の幅を有する板状の部分となっており、幅方向の片側に片寄った領域には、上方に凸状に隆起する厚肉補強部２９が設けられている。厚肉補強部２９は、押込み押圧部２６を補強して、被詰替え容器１５の口首部１６から負荷された押し込み力を、外開きさせる荷重として開口予定部１８に効果的に伝達させる。厚肉補強部２９は、対向壁２８の対向面と平行に延設して、天板部１９の内側に向けて、回転中心部２４を越えて一対の対向壁２８の間隔部分の開口予定部１８まで連続して設けられており、開口予定部１８と接続する部分が、開封起点部２７として機能する。
【００２６】
また、押込み押圧部２６は、斜め上方に延設することで、その外側への張出し先端部分が、天板部１９よりも上方に配置されると共に、後述する４箇所のガイドリブ２２の内周面に沿ったリング状の円形領域である、被詰替え容器１５の口首部１６の先端との当接領域２５と交差して配置される。これによって、栓体１０を被詰替え容器１５の口首部１６に向けて押し込んだ際に、ガイドリブ２２によって案内された被詰替え容器１５の口首部１６が、押込み押圧部２６の凸状に隆起する厚肉補強部２９の部分に当接して、押込み押圧部２６を天板部１９側に押し込むことで、開口てこ部２３を回動させる。
【００２７】
本実施形態では、開封起点部２７は、上述のように、押込み押圧部２６から回転中心部２４を越えて開口予定部１８まで連続して設けられた厚肉補強部２９の、当該開口予定部１８と接続する内側先端部分によって形成される。開封起点部２７は、開口予定部１８の幅方向の片側に片寄った領域において、当該開口予定部１８に一体接合されて、開口予定部１８と共に挙動できるようになっている。
【００２８】
また、本実施形態では、一対の開口てこ部２３のうちの一方の開口てこ部２３の開封起点部２７は、Ｖ字形状の第３薄肉線１７ｃで区画される部分の開口予定部１８と接合されて、当該第３薄肉線１７ｃで区画される部分の開口予定部１８を、開封起点部２７として一体として機能させるようになっている。また当該第３薄肉線１７ｃで区画される部分の開口予定部１８の先端を、開口予定部１８の中央を横断する第２薄肉線１７ｂと接続させている。これによって、薄肉線１７ａ，１７ｂ，１７ｃを破断させて開口予定部１８を開口させる際に、Ｖ字形状の第３薄肉線１７ｃの先端に応力を効率良く集中させて、開口予定部１８をよりスムーズに開口させることが可能になる。
【００２９】
さらに、本実施形態では、一対の開口てこ部２３の各々において、厚肉補強部２９は、上述のように一対の対向壁２８の間隔幅の片側に片寄った領域に延設して設けられているので、押込み押圧部２６は、天板部１９の径方向に対して非対称な形状に形成されると共に、開封起点部２７もまた、天板部１９の径方向に対して非対称な形状に形成される。これらによって、薄肉線１７ａ，１７ｂ，１７ｃを破断させて開口予定部１８を開口させる際に、力点としての押込み押圧部２６と、支点としての回転中心部２４との間には、回転トルクが生じて斜め方向に応力が加わることで、応力が集中し易くなり、開口予定部１８の開封性をさらに向上させることが可能になる。また、支点としての回転中心部２４と、作用点としての開封起点部２７との間にも、回転トルクが生じて斜め方向に応力が加わることで、応力が集中し易くなり、開口予定部１８の開封性をさらに向上させることが可能になる。
【００３０】
天板部１９から上方に突出して設けられて、栓体１０を被詰替え容器１５の口首部１６に案内するガイドリブ２２は、本実施形態では、天板部１９の円形の周縁部に沿って間隔をおいて設けられた４箇所の円弧状リブ２２ａからなる。４箇所の円弧状リブ２２ａの内周面を連続させるように描いた仮想の円は、被詰替え容器１５の口首部１６の外周面よりも僅かに大きな直径を備える。被詰替え容器１５の口首部１６の外周面に円弧状リブ１９ａの内周面を沿わせることで、栓体１０の開口予定部１８を被詰替え容器１５の口首部１６の上端開口面と対向させた状態で、詰替え容器１１を被詰替え容器１５の上方に倒立させた状態で容易に位置決めすることが可能になる。
【００３１】
また、本実施形態では、４箇所の円弧状リブ２２ａの内周面を連続させた仮想の円よりも内側の、被詰替え容器１５の口首部１６の肉厚と同様の幅の円環帯状の領域が、被詰替え容器１５の口首部１６の先端との当接領域２５となっている。この当接領域２５と交差して、一対の開口てこ部２３の押込み押圧部２６が、各々配置される。本実施形態では、４箇所の円弧状リブ２２ａの間の各間隔部分うちの一方の対向する一対の間隔部分は、一対の対向壁２８の間隔幅の延長上に、これらの間隔幅よりも大きな間隔を保持して設けられており、押込み押圧部２６の当接領域２５よりもさらに外側に延設する先端部は、これらの間隔部分に各々挿入配置される。
【００３２】
さらに、本実施形態では、押込み押圧部２６の先端部が挿入配置される一対の円弧状リブ２２ａの間隔部分の両側には、各円弧状リブ２２ａの側端部から外側に向けて、補強防護リブ３０が、一対の対向壁２８と平行な方向に突出して各々設けられている。補強防護リブ３０は、円弧状リブ２２ａの天端部の高さ位置から、環状スカート壁部２１の下端部に至るまで縦方向に連続して設けられている。補強防護リブ３０は、天板部１９及び環状スカート壁部２１を補強すると共に、開口てこ部２３の先端部分を両側から挟み込むようにして防護する。これにより落下等で、押込押圧部に直接外部の力が作用することを防ぎ、品質を担保可能となる。また、補強防護リブ３０は、外側から視認可能なガイド壁として機能して、詰替え容器１１に取り付けられた栓体１０が被詰替え容器１５の口首部１６に安定した状態で位置決めされるようにガイドする。
【００３３】
そして、上述の構成を備える本実施形態の詰替え容器用栓体１０によれば、簡易な操作によって詰替え容器１１の口首部１２の先端の詰替え流出口を、被詰替え容器１５の口首部１６に連通させることができると共に、安定した状態で内容物を被詰替え容器１５に詰め替えさせることができる。
【００３４】
すなわち、本実施形態の詰替え容器用栓体１０は、開口予定部１８を備える天板部１９と、天板部１９から下方に延設して設けられた環状スカート壁部２１と、天板部１９から上方に突出して設けられたガイドリブ２２と、薄肉線１７ａ，１７ｂ，１７ｃを破断させて開口予定部１８を開口させる開口てこ部２３とを含んで構成されており、開口てこ部２３は、支点として機能する回転中心部２４と、回転中心部２４よりも径方向外側の力点として機能する押込み押圧部２６と、回転中心部２４よりも径方向内側の、開口予定部１８と接続して作用点として機能する開封起点部２７とからなるので、詰替え容器１１に取り付けられた栓体１０を、被詰替え容器１５の口首部１６に向けて押し込むだけのワンアクションの操作によって、口首部１６の先端で押込み押圧部２６を押圧させて開口てこ部２３を回動させ、開封起点部２７を介して薄肉線１７ａ，１７ｂ，１７ｃを破断させて開口予定部１８を開口させることにより、詰替え容器１１の口首部１６の先端の詰替え流出口を、手間のかかる操作を要することなく、被詰替え容器１５の口首部１６と容易に連通させることが可能になる。
【００３５】
また、薄肉線１７ａ，１７ｂ，１７ｃを破断させて開口予定部１８を開口させた後は、ガイドリブ２２の内側に被詰替え容器１５の口首部１６の先端部分が納められることで、栓体１０は、被詰替え容器１５の口首部１６に容易に位置決め係合されるので、詰替え容器１１の口首部１６の先端の詰替え流出口を、被詰替え容器１５の口首部１６に連通させた状態を容易に保持して、安定した状態で内容物を被詰替え容器１５に詰め替えさせることが可能になる。
【００３６】
特に、本実施形態では、天板部１９から上方に突出して、被詰替え容器１５の口首部１６の内側に挿入可能な一対の対向壁２８による挿入リブが、開口予定部１８の外側に設けられているので、これらの挿入リブ２８とガイドリブ２２との間に被詰替え容器１５の口首部１６の先端部分を挟み込むようにして、栓体１０を被詰替え容器１５の口首部１６に位置決め係合することにより、さらに安定した状態で内容物を被詰替え容器１５に詰め替えさせることが可能になる。
【００３７】
図４（ａ），（ｂ）は、本発明の好ましい他の実施形態に係る詰替え容器用栓体４０を示すものである。本他の実施形態では、開口てこ部４１を一体のみ備えている。すなわち、本他の実施形態に係る詰替え容器用栓体４０は、上記実施形態の詰替え容器用栓体１０と同様に、詰替え容器１１の口首部１２の先端の詰替え流出口を覆って取り付けて用いられる栓部材であって（図１参照）、薄肉線４２によって区画された円形の開口予定部４３を備える天板部４４と、天板部４４から下方に延設して設けられて、口首部１２の先端の詰替え流出口の周縁部分との装着密着面４５を形成する環状スカート壁部４６と、天板部４４の周縁部から外側に張り出して設けられると共に、天板部４４から上方に突出して設けられて、口首部１２の先端の詰替え流出口を被詰替え容器１５の口首部１６（図１参照）に案内するガイドリブ４７と、被詰替え容器１５の口首部１６への押し込みによって、薄肉線４２を破断させて開口予定部４３を開口させる開口てこ部４１とを含んで構成されている。
【００３８】
また、開口てこ部４１は、環状スカート壁部４６の上端部に破断可能に接続されると共に、支点として機能する回転中心部４８と、この回転中心部４８よりも径方向外側の、力点として機能する押込み押圧部４９と、回転中心部４８よりも径方向内側に配置される、開口予定部４３と接続して作用点として機能する開封起点部５０とからなる。さらに、天板部４４から上方に突出して、被詰替え容器１５の口首部１６の内側に挿入可能な挿入リブ５１が、開口予定部４３の外側に設けられている。開口予定部４３の開口後、内容液を詰替え容器１１から被詰替え容器１５に流入させる際に、内容液が挿入リブをつたうため、内容液の漏れをさらに効果的に防止することが出来る。
【００３９】
本他の実施形態に係る詰替え容器用栓体４０によっても、詰替え容器１１に取り付けられた当該栓体４０を被詰替え容器１５の口首部１６に向けてワンアクションの操作で押し込むことによって（図１参照）、被詰替え容器１５の口首部１６の先端で押込み押圧部４９を押圧させて、回転中心部４８の回りで開口てこ部４１を回動させ（図４（ｂ）参照）、開封起点部５０を介して薄肉線４２を破断させて開口予定部４３を開口させることにより、詰替え容器１１の口首部１６の先端の詰替え流出口を、被詰替え容器１５の口首部１６と容易に連通させることができるので、上記実施形態の詰替え容器用栓体１０と同様の作用効果が奏される。
【００４０】
なお、本発明は上記実施形態に限定されることなく種々の変更が可能である。例えば、開口てこ部の押込み押圧部や開封起点部は、天板部の径方向に対して非対称な形状に形成されている必要は必ずしも無い。また、開口てこ部は、単数又は一対設けられている必要は必ずしも無く、３箇所以上に設けられていても良い。さらに、天板部から上方に突出して、被詰替え容器の口首部の内側に挿入可能な挿入リブが設けられている必要は必ずしも無い。さらにまた、本発明の詰替え容器用栓体は、ボトル形状の容器以外の、パウチやガセット袋等の、その他の軟包材によって形成された種々の容器の詰替え流出口を覆って取り付けて用いることもできる。
【符号の説明】
【００４１】
１０，４０  詰替え容器用栓体
１１  詰替え容器
１２  詰替え容器の口首部
１５  被詰替え容器
１６  被詰替え容器の口首部
１７ａ，１７ｂ，１７ｃ，４２  薄肉線
１８，４３  開口予定部
１９，４４  天板部
２０，４５  装着密着面
２１，４６  環状スカート壁部
２２，４７  ガイドリブ
２３，４１  開口てこ部
２４，４８  回転中心部
２５  当接領域
２６，４９  押込み押圧部
２７，５０  開封起点部
２８  対向壁（挿入リブ）
２９  厚肉補強部
３０  補強防護リブ
５１  挿入リブ
【図１】
0005730011.tif 000002
【図２】
0005730011.tif 000003
【図３】
0005730011.tif 000004
【図４】
0005730011.tif 000005